(57)【要約】【課題】      ティーバッグを用いて一杯分の紅茶やお茶をおいしく入れるために、指定された開封口から開くことでティーカップまたは湯飲み茶碗の上で安定した蓋となり、蒸らし機能を有するティーバッグ個別包装袋を提供する。【解決手段】  ティーバッグ個別包装袋を指定する位置、方向に開封し、さらに指定した折り線で折ることにより、保温、蒸らしの機能を持ち、簡便、安全に美味しい茶を入れることが出来る。個別包装袋の印刷によりファッション性を持って茶を楽しむことが出来る。さらにこの形状を利用して、ティーバックを清潔、簡単に捨てることが出来る。【選択図】    図１
2006213401.tif 000002
【特許請求の範囲】
【請求項１】
ティーバッグを個別に包装する包装袋であってティーカップまたは湯飲み茶碗の上で安定した蓋となるための開封口を有することを特徴としたティーバッグ個別包装袋。
【請求項２】
包装袋に折り線のある請求項１記載のティーバッグ個別包装袋。
【請求項３】
包装袋に滑り止め機構のある請求項１記載のティーバッグ個別包装袋。
【発明の詳細な説明】
【技術分野】
【０００１】  本発明は、緑茶、烏龍茶および紅茶等のティーバッグを包装する袋に関するものである。
【背景技術】
【０００２】  一杯分の紅茶やお茶を簡便に入れる場合にはティーバッグが用いられている。【０００３】  従来のティーバッグ個別包装袋は持ち運びしやすく、アルミ製包材であれば防湿効果や風味を損なわないといった効果がある。しかし開封してティーバッグを取り出した後は特に役目が無く、ゴミになった。【０００４】  ティーバッグを入れたティーカップまたは湯のみ茶碗に湯を注いだ後、湯表面が空気に解放されているため、抽出している間に熱と香味が発散して逃げる問題がある。したがって、緑茶、烏龍茶、とくに紅茶を美味しく入れる方法として、湯を注いでから茶葉を蒸らすという行為が広く知られている。【０００５】  ティーバッグを用いて一杯分の茶葉を蒸らす場合には、手軽な蓋の代用としてティーソーサまたは茶托をティーカップまたは湯のみ茶碗の上に蓋の代用として用いられることが多い。【０００６】  また、抽出後にティーバッグを取り出し捨てる必要があるが、ティーソーサまたは茶托に置くとティーバッグが含んでいた水分でティーカップまたは湯のみ茶碗も汚れる。【０００７】  なお、本願発明に関する公知技術として次の特許文献１を挙げることができる。【０００８】
【特許文献１】特開２００５−１３６６７号公報
【発明の開示】
【発明が解決しようとする課題】
【０００９】  ティーソーサまたは茶托を蓋の代用とした場合、底において受けるべきティーソーサまたは茶托を上に置くために不安定になり、高温の湯が多量に注がれているティーカップまたは湯のみ茶碗が転倒し易く、火傷などの危険性がある。そしてティーソーサまたは茶托には湯気により水滴が付着するために、入れた茶を客に出す際には、わざわざティーソーサまたは茶托を拭いて、高温の湯が注がれているティーカップまたは湯のみ茶碗を持ち上げ、その上に置かなければならなかった。その際にも茶のこぼれや火傷の危険性がある。【００１０】  上記特許文献１に記載の技術は、ティーバッグに付属させた簡易蓋によって蒸らし機能を持たせた点で有用だが、簡易蓋の製造には別途材料費が発生すると共に蓋の分だけゴミが増える点に課題が残っている。【００１１】  そこで、本発明の目的は、簡便、安全、清潔で、美味しいお茶を入れるためにティーバッグ個別包装袋を再利用して、蒸らし蓋の機能を持たせることにある。
【課題を解決するための手段】
【００１２】  ティーバッグ個別包装袋を指定された開封口から開くことでティーカップまたは湯飲み茶碗の上で安定した蓋となり、蒸らし機能を有することを特徴とする。【００１３】  また、ティーバッグ個別包装袋を蓋として安定した立体的形状にするために、折り目があることを特徴とする。【００１４】  また、蓋がティーカップから滑り落ちないようにするために、滑り止め機構があることを特徴とする。
【発明の効果】
【００１５】  ティーバッグ個別包装袋を再利用して蒸らし蓋の機能を持たせることで、簡便、安全に、美味しいお茶を入れることができる。
【発明を実施するための最良の形態】
【００１６】  以下、本発明の実施の形態について説明する。【００１７】  図１から図３は本発明の第一の実施形態に係り、図１はその外観斜視図、図２は側面図、図３は展開図である。【００１８】  （イ）図２の頂点１１と隣り合う二辺を切り取ってティーバッグ３を取り出す。開封口がヒートシールや超音波シールなどで接着されており開封が容易なものの場合は図２の頂点１１から隣り合う二辺をはがすように開封する場合もある。
（ロ）開封後、図２に示す折り線１２を山折りし、折り線１２の中心に位置する押し込み部１３を押し込んで、折り線１４を谷折りし、かつ折り線１５を山折りすることで円錐状の形状を維持した蓋とする。開封後の形状は三角錐状や四角錐状など底面の形状はいずれでも良い。
（ハ）図２の折り線１６を山折りにして開封前の頂点１１を内側に折り込むことで形状が安定するとともに、滑り止めの役割を果たす。さらに滑り止めを強化したい場合には粘着性のある滑り止め１７を頂点１１付近につけて利用する。
（ニ）図１に示すように、熱湯を注いだティーカップ２に取り出したティーバッグ３を入れた後、（ハ）で蓋に成形したティーバッグ個別包装袋１をかぶせる。
（ホ）円錐状の形状にしたティーバッグ個別包装袋１は上下反転させると、使用後のティーバッグ３を捨てる受け皿になる。
（ヘ）円錐状の形状にしたティーバッグ個別包装袋１をティーカップ２の外観が見えなくなる程度にすっぽりと覆うと保温機能を増すことができる。
（ト）ティーバッグ個別包装袋の印刷によりファッション性を持って茶を楽しむことが出来る。【００１９】  図４から図６は本発明の第二の実施形態に係り、図４はその外観斜視図、図５は側面図、図６は展開図である。【００２０】  （イ）図５の開封口１１から開封し、ティーバッグ３を取り出す。図５の封筒様に成形されたティーバッグ個別包装袋１の場合は、開封口１１に集まっている四角形の紙の角を外側に展開するように拡げる。
（ロ）展開した後得られた図６に示す四角形の紙の、包装のために予めついていた折り線１２を利用し、図４に示す蓋の形状になるように成形する。
（ハ）図４に示すように熱湯を注いだティーカップ２に取り出したティーバッグ３を入れた後、（ロ）で蓋に成形したティーバッグ個別包装袋１をかぶせる。
（ニ）（ロ）で蓋に成形したティーバッグ個別包装袋１は上下反転させると、使用後のティーバッグ３を捨てる受け皿になる。【００２０】  なお本発明は上記実施形態になんら限定されるものではない。
【図面の簡単な説明】
【００２１】
【図１】本発明の第一実施例の使用状態を示す外観斜視図である。
【図２】本発明の第一実施例の側面図である。
【図３】本発明の第一実施例の展開図である。
【図４】本発明の第二実施例の使用状態を示す外観斜視図である。
【図５】本発明の第二実施例の側面図である。
【図６】本発明の第二実施例の展開図である。
【符号の説明】
【００１９】１  ティーバッグ個別包装袋
１１  開封口
１２  折り線（山折り部）
１３  押し込み部
１４  折り線（谷折り部）
１５  折り線（山折り部）
１６  実線（山折り部）
１７  滑り止め
２    ティーカップ
２１  取っ手
３  ティーバッグ
３１  ティーバッグタグ
【図１】
2006213401.tif 000003
【図２】
2006213401.tif 000004
【図３】
2006213401.tif 000005
【図４】
2006213401.tif 000006
【図５】
2006213401.tif 000007
【図６】
2006213401.tif 000008